(57)【要約】【課題】コイル巻線の如き細いワイヤを接続した際に安定したワイヤの接続ができるとともに、狭ピッチ化に対応でき、かつ電気端子単体でワイヤの接続を行うことができる電気端子を提供する。【解決手段】電気端子１において、第１部材１０における１対の接合面部１１は、互いに対向する内面１１ａ間の間隔が大きい側からワイヤ４０を受容して互いに対向する内面１１ａ間でワイヤ４０を保持する。１対の接合面部１１の互いに対向する内面１１ａには、ワイヤ４０の軸心が延びる方向に対して交差する方向に延びる複数の鋸歯状接点１１ｂ、１１ｃがそれぞれ形成されている。第２部材２０は、１対の接合面部１１の互いに対向する内面１１ａ間の間隔が大きい側から１対の接合面部１１に嵌合し、互いに対向する内面１１ａを接近させる。これにより、複数の鋸歯状接点１１ｂ、１１ｃがワイヤ４０に食い込み、ワイヤ４０が１対の接合面部１１に接続される。【選択図】図１
2014029800.tif 000002
【特許請求の範囲】
【請求項１】
互いに対向し、互いに対向する内面間の間隔が大きい側から小さい側に斬次小さくなる略Ｖ字形の１対の接合面部と、該１対の接合面部を互いに対向する内面間の間隔が小さい側の端部で連結する連結部とを有する第１部材と、
略Ｕ字形に形成された第２部材とを備え、
前記１対の接合面部は、前記互いに対向する内面間の間隔が大きい側からワイヤを受容して前記互いに対向する内面間で前記ワイヤを保持すると共に、前記１対の接合面部の互いに対向する内面には、受容される前記ワイヤの軸心が延びる方向に対して交差する方向に延びる複数の鋸歯状接点がそれぞれ形成されており、
前記第２部材は、前記１対の接合面部の互いに対向する内面間の間隔が大きい側から前記１対の接合面部に嵌合し、前記１対の接合面部の両外側面を内側に変位させて前記１対の接合面部の互いに対向する内面を接近させ、これにより、前記複数の鋸歯状接点が前記ワイヤに食い込み、前記ワイヤが１対の接合面部に接続されることを特徴とする電気端子。
【請求項２】
前記１対の接合面部は、互いに対向する内面が、互いに対向する内面間の間隔が小さい側から大きい側に向けて外側に湾曲するように形成されていることを特徴とする請求項１記載の電気端子。
【請求項３】
前記第１部材の連結部と前記第２部材とが連結部材により連結されていることを特徴とする請求項１又は２記載の電気端子。
【請求項４】
前記１対の接合面部の互いに対向する内面間の間隔が大きい側の端部外側及び前記第２部材の端部内側に、それぞれ相手を誘い込むテーパ部を設けたことを特徴とする請求項１乃至３のうちいずれか一項に記載の電気端子。
【請求項５】
前記１対の接合面部の互いに対向する内面にそれぞれ形成された複数の鋸歯状接点が、互いに交差する方向に延びていることを特徴とする請求項１乃至４のうちいずれか一項に記載の電気端子。
【請求項６】
前記連結部が、前記１対の接合面部のうちの一方の接合面部の前記端部から外側に湾曲する第１湾曲部と、前記１対の接合面部のうちの他方の接合面部の前記端部から外側に湾曲する第２湾曲部と、前記第１湾曲部の先端と前記第２湾曲部の先端とを接続する接続部とからなることを特徴とする請求項１乃至５のうちいずれか一項に記載の電気端子。
【請求項７】
前記１対の接合面部及び前記第２部材に、前記第２部材が前記１対の接合面部に嵌合した際に互いにロックするロック部を設けたことを特徴とする請求項１乃至６のうちいずれか一項に記載の電気端子。
【請求項８】
前記第１部材の連結部に、相手コネクタに嵌合する嵌合部を設けたことを特徴とする請求項１乃至７のうちいずれか一項に記載の電気端子。
【発明の詳細な説明】
【技術分野】
【０００１】
本発明は、コイル巻線の如き細いワイヤが接続される電気端子に関する。
【背景技術】
【０００２】
従来、ワイヤが接続される電気端子として、例えば、図１１及び図１２に示すものが知られている（特許文献１参照）。図１１は、従来の電気端子の斜視図である。図１２は、図１１に示す電気端子に２本のワイヤが接続された状態の説明図である。
図１１に示す電気端子１０１は、基部１０３の両側から立ち上がり相対向する１対の側壁１０４，１０５を備え、略Ｕ字形に形成されて内部にキャビティ１０２を備えている。電気端子１０１は、金属板を打抜き及び曲げ加工することによって形成される。基部１０３は、ワイヤＷ１、Ｗ２（図１２参照）の軸心が延びる方向に縦長となる形状に形成されている。そして、１対の側壁１０４，１０５及び基部１０３の内表面には、一方の側壁１０４の上端から他方の側壁１０５の上端に至るまで連続した複数の鋸歯状接点（セレーション）１０６が形成されている。従って、一方の側壁１０４に形成された鋸歯状接点１０６と他方の側壁１０５に形成された鋸歯状接点１０６とは相対向して同一方向に延びている。各鋸歯状接点１０６は、ワイヤＷ１、Ｗ２（図１２参照）の軸心が延びる方向に対して直交する方向に延びている。
【０００３】
そして、２本のワイヤＷ１、Ｗ２をキャビティ１０２内に入れてから図１２に示すように１対の側壁１０４，１０５を変形させて、ワイヤＷ１、Ｗ２を電気端子１０１に圧着接続する。すると、一方の側壁１０４がワイヤＷ１の周囲を取り囲み、他方の側壁１０５がワイヤＷ２を取り囲む。この際に、各鋸歯状接点１０６がワイヤＷ１、Ｗ２に食い込むようになっている。
【０００４】
また、従来、コイル巻線の如き細いワイヤが接続される電気コネクタの一例として、図１３に示すものが知られている（特許文献２参照）。図１３は、従来例の電気コネクタであり、電気端子がハウジングに挿入される前の状態を示す斜視図である。
図１３に示す電気コネクタ２０１は、端子受容キャビティ２１１を有するハウジング２１０と、端子受容キャビティ２１１に挿入される電気端子２２０とからなっている。
【０００５】
ハウジング２１０の端子受容キャビティ２１１の上方両側には第１溝２１２が形成されている。ハウジング２１０の端子受容キャビティ２１１の下方両側には第２溝２１３が形成されている。そして、ハウジング２１０の上壁２１４の後方部（図１３における右方部）には、ワイヤ巻回部２１５が設けられている。ワイヤ巻回部２１５には、ワイヤ２１６が巻回される。ワイヤ２１６は、金属芯と、金属芯の外側に被覆された絶縁部とを備えた、例えば、Ａ．Ｗ．Ｇ５０程度の細い絶縁電線である。
【０００６】
一方、電気端子２２０は、金属板を打抜き及び曲げ加工することによって形成され、略矩形平板状の基部２２１を備えている。基部２２１の幅方向両側には、複数のランス２２１ａ，２２１ｂが設けられている。また、電気端子２２０は、基部２２１の長手方向前端（図１３における右端）から斜め前方に延びる前側側板部２２２と、基部２２１の長手方向後端から斜め前方に折り返すように延びる後側側板部２２４とを備えている。そして、前側側板部２２２の先端２２２ａから後方に折り返すように側板部２２３が延びている。この側板部２２３の表面には、複数の鋸歯状接点（セレーション）２２５が形成されている。また、後側側板部２２４の先端は、側板部２２３の先端両側に下方に折り曲げるように設けられた一対のフランジ２２３ａ間に入り込む。一対のフランジ２２３ａのそれぞれの先端には、ランス２２３ｂが設けられている。
【０００７】
ここで、電気端子２２０がハウジング２１０の端子受容キャビティ２１１内に挿入される。この際に、基部２２１、前側側板部２２２、側板部２２３、及び後側側板部２２４が端子受容キャビティ２１１内に挿入される。また、ランス２２３ｂが第１溝２１２内に入り込み、ランス２２１ａ、２２１ｂが第２溝２１３内に入り込む。そして、前側側板部２２２の先端２２２ａがハウジング２１０の図示しない端壁に当接すると、基部２２１が矢印方向に前進して前側側板部２２２が固定端を中心に回転する。これにより、側板部２２３に形成された各鋸歯状接点２２５がワイヤ２１６に食い込むようになっている。
【０００８】
更に、従来、コイル巻線の如き細いワイヤが接続される電気コネクタの他の例として、例えば、図１４に示すものが知られている（特許文献３参照）。図１４は、従来の他の例の電気コネクタの断面図である。
図１４に示す電気コネクタ３０１は、ハウジング３１０と、ハウジング３１０の第１キャビティ３１１内に圧入される第１端子３２０と、ハウジング３１０の第２キャビティ３１２内に圧入される第２端子３３０とからなっている。
【０００９】
ここで、第１端子３２０は、金属板を打抜き及び曲げ加工することによって形成され、第１キャビティ３１１に圧入される基部３２４及びハウジング３１０のワイヤ受け面３１３に向かって凸となる緩やかな円弧状の接触部３２１を有する。この接触部３２１のワイヤ受け面３１３に対向する面には、複数の鋸歯状接点（セレーション）３２２が形成されている。第１端子３２０の接触部３２１側の先端には、頂部３２３が形成されている。
【００１０】
また、第２端子３３０は、金属板を打抜き及び曲げ加工することによって形成され、その先端に第１端子３２０の頂部３２３をワイヤ受け面３１３の方に押圧する押圧部３３１が設けられている。
そして、ワイヤ３３０をワイヤ受け面３１３と接触部３２１との間に配置して第２端子３３０を圧入すると、第２端子３３０の押圧部３３１が第１端子３２０の頂部３２３をワイヤ受け面３１３の方向に押圧する。これにより、第１端子３２０の接触部３２１がワイヤ３３０に弾性接触する。接触部３２１がワイヤ３３０に弾性接触する際には、接触部３２１に形成された複数の鋸歯状接点３２２がワイヤ３３０に食い込むようになっている。なお、ワイヤ３３０は、金属芯と、金属芯の外側に被覆された絶縁部とを備えた、例えば、Ａ．Ｗ．Ｇ５０程度の細い絶縁電線である。
【先行技術文献】
【特許文献】
【００１１】
【特許文献１】米国特許第４００３６２３号明細書
【特許文献２】特開昭５２−１１４９８７号公報
【特許文献３】特開平１０−３０２８５７号公報
【発明の概要】
【発明が解決しようとする課題】
【００１２】
しかしながら、図１１及び図１２に示した従来の電気端子１０１、図１３に示した従来の電気コネクタ２０１、及び図１４に示した従来の電気コネクタ３０１にあっては、以下の問題点があった。
即ち、図１１及び図１２に示した従来の電気端子１０１の場合、１対の側壁１０４、１０５を圧着することによってワイヤＷ１、Ｗ２を電気端子１０１に接続するようにしている。しかし、ワイヤＷ１、Ｗ２を受容するキャビティ１０２の容積が大きいため、コイル巻線の如き細いワイヤを接続する場合には、１対の側壁１０４、１０５を丸め切れずに余ってしまい、安定したワイヤの接続ができなかった。特に、単一の細いワイヤを接続する場合には、その傾向が顕著となる。ここで、細いワイヤとは、線径が例えば０．０２ｍｍ〜０．２５ｍｍ程度のものをいう。
【００１３】
一方、図１３に示した従来の電気コネクタ２０１の場合には、接続されるワイヤ２１６は、金属芯と、金属芯の外側に被覆された絶縁部とを備えた、例えば、Ａ．Ｗ．Ｇ５０程度の細い絶縁電線である。従って、コイル巻線の如き細いワイヤを接続した際に安定した接続を得ることができる。しかしながら、図１３に示した従来の電気コネクタ２０１においては、電気端子２２０の基部２２１及び側板部２２３などの幅が広く狭ピッチ化に対応することができない。また、ワイヤ２１６を接続するために、電気端子２２０以外にハウジング２１０が必要となり、部品点数が多いという問題があった。
【００１４】
更に、図１４に示した従来の電気コネクタ３０１の場合にあっても、接続されるワイヤ３０１は、金属芯と、金属芯の外側に被覆された絶縁部とを備えた、例えば、Ａ．Ｗ．Ｇ５０程度の細い絶縁電線である。従って、コイル巻線の如き細いワイヤを接続した際に安定した接続を得ることができる。しかしながら、ワイヤ３０１を接続するために、第１端子３２０及び第２端子３３０以外にハウジング３１０が必要となり、部品点数が多いという問題があった。
【００１５】
従って、本発明は、これら従来の問題点を解決するためになされたものであり、その目的は、コイル巻線の如き細いワイヤを接続した際に安定したワイヤの接続ができるとともに、狭ピッチ化に対応でき、かつ電気端子単体でワイヤの接続を行うことができる電気端子を提供することにある。
【課題を解決するための手段】
【００１６】
上記目的を達成するために、本発明のうちある形態に係る電気端子は、互いに対向し、互いに対向する内面間の間隔が大きい側から小さい側に斬次小さくなる略Ｖ字形の１対の接合面部と、該１対の接合面部を互いに対向する内面間の間隔が小さい側の端部で連結する連結部とを有する第１部材と、略Ｕ字形に形成された第２部材とを備え、前記１対の接合面部は、前記互いに対向する内面間の間隔が大きい側からワイヤを受容して前記互いに対向する内面間で前記ワイヤを保持すると共に、前記１対の接合面部の互いに対向する内面には、受容される前記ワイヤの軸心が延びる方向に対して交差する方向に延びる複数の鋸歯状接点がそれぞれ形成されており、前記第２部材は、前記１対の接合面部の互いに対向する内面間の間隔が大きい側から前記１対の接合面部に嵌合し、前記１対の接合面部の両外側面を内側に変位させて前記１対の接合面部の互いに対向する内面を接近させ、これにより、前記複数の鋸歯状接点が前記ワイヤに食い込み、前記ワイヤが１対の接合面部に接続されることを特徴としている。
【００１７】
この電気端子において、前記１対の接合面部は、互いに対向する内面が、互いに対向する内面間の間隔が小さい側から大きい側に向けて外側に湾曲するように形成されていることが好ましい。
また、この電気端子において、前記第１部材の連結部と前記第２部材とが連結部材により連結されていることが好ましい。
【００１８】
また、この電気端子において、前記１対の接合面部の互いに対向する内面間の間隔が大きい側の端部外側及び前記第２部材の端部内側に、それぞれ相手を誘い込むテーパ部を設けてもよい。
また、この電気端子において、前記１対の接合面部の互いに対向する内面にそれぞれ形成された複数の鋸歯状接点が、互いに交差する方向に延びていることが好ましい。
【００１９】
更に、この電気端子において、前記連結部が、前記１対の接合面部のうちの一方の接合面部の前記端部から外側に湾曲する第１湾曲部と、前記１対の接合面部のうちの他方の接合面部の前記端部から外側に湾曲する第２湾曲部と、前記第１湾曲部の先端と前記第２湾曲部の先端とを接続する接続部とからなっていてもよい。
また、この電気端子において、前記１対の接合面部及び前記第２部材に、前記第２部材が前記１対の接合面部に嵌合した際に互いにロックするロック部を設けることが好ましい。
【００２０】
加えて、この電気端子において、前記第１部材の連結部に、相手コネクタに嵌合する嵌合部を設けるとよい。
【発明の効果】
【００２１】
本発明に係る電気端子によれば、１対の接合面部は、互いに対向する内面間の間隔が大きい側からワイヤを受容して互いに対向する内面間でワイヤを保持する。また、１対の接合面部の互いに対向する内面には、受容されるワイヤの軸心が延びる方向に対して交差する方向に延びる複数の鋸歯状接点がそれぞれ形成されている。そして、第２部材は、１対の接合面部の互いに対向する内面間の間隔が大きい側から１対の接合面部に嵌合し、１対の接合面部の両外側面を内側に変位させて１対の接合面部の互いに対向する内面を接近させる。これにより、複数の鋸歯状接点が前記ワイヤに食い込み、ワイヤが１対の接合面部に接続される。従って、第２部材を第１部材の１対の接合面部に嵌合することにより、１対の接合面部の互いに対向する内面を接近させ複数の鋸歯状接点をワイヤに食い込ませて、ワイヤを１対の接合面部に接続する。このため、コイル巻線の如き細いワイヤを接続する場合であっても、１対の接合面部が余ることなく、安定したワイヤの接続を行うことができる。特に、単一の細いワイヤを接続する場合に、その効果が大きい。
【００２２】
また、第２部材は、１対の接合面部の両外側面を内側に変位させて１対の接合面部の互いに対向する内面を接近させてワイヤを１対の接合面部に接続する。このため、１対の接合面部の相対向する方向に複数の電気端子を配列した際に、狭ピッチ化することができる。
更に、電気端子を構成する第１部材及び第２部材のみでワイヤを接続することができるので、電気端子単体でワイヤの接続を行うことができる。
【図面の簡単な説明】
【００２３】
【図１】本発明に係る電気端子の第１実施形態を示し、第１部材にワイヤを挿入した後、第２部材を第１部材に嵌合する前の状態の斜視図である。
【図２】本発明に係る電気端子の第１実施形態を示し、第１部材にワイヤを挿入した後、第２部材を第１部材に嵌合した状態の斜視図である。
【図３】本発明に係る電気端子の第１実施形態を示し、第１部材にワイヤを挿入した後、第２部材を第１部材に嵌合する前の状態の正面図である。
【図４】本発明に係る電気端子の第１実施形態を示し、第１部材にワイヤを挿入した後、第２部材を第１部材に嵌合した状態の正面図である。
【図５】本発明に係る電気端子の第１実施形態を示し、第１部材にワイヤを挿入した後、第２部材を第１部材に嵌合する前の状態の右側面図である。
【図６】本発明に係る電気端子の第１実施形態を示し、第１部材にワイヤを挿入した後、第２部材を第１部材に嵌合した状態の右側面図である。
【図７】ワイヤを１対の接合面部に接続する様子を示し、（Ａ）はワイヤを１対の接合面部に接続する前の状態の模式図、（Ｂ）はワイヤを１対の接合面部に接続した状態の模式図、（Ｃ）はワイヤを１対の接合面部に接続した状態の模式図であって、複数の鋸歯状接点が互いに交差している状態を示している。
【図８】１対の接合面部に接続されたワイヤ単体を示し、（Ａ）は部分正面図、（Ｂ）は部分平面図、（Ｃ）は（Ａ）の８Ｃ−８Ｃ線に沿う断面図である。
【図９】本発明に係る電気端子の第２実施形態を示し、第２部材を第１部材に嵌合する前の状態の斜視図である。
【図１０】本発明に係る電気端子の第２実施形態を示し、第２部材を第１部材に嵌合した状態の斜視図である。
【図１１】従来の電気端子の斜視図である。
【図１２】図１１に示す電気端子に２本のワイヤが接続された状態の説明図である。
【図１３】従来例の電気コネクタであり、電気端子がハウジングに挿入される前の状態を示す斜視図である。
【図１４】従来の他の例の電気コネクタの断面図である。
【発明を実施するための形態】
【００２４】
以下、本発明に係る電気端子の実施形態を図面を参照して説明する。
先ず、図１乃至図６には、本発明に係る電気端子の第１実施形態が示されており、この電気端子１には、コイル巻線の如き細いワイヤ４０が接続される。ここで、細いワイヤ４０とは、金属芯と、金属芯の外側に被覆された絶縁部とを備えた、例えば、線径が０．０２ｍｍ〜０．２５ｍｍ程度の絶縁電線、あるいは線径が０．０２ｍｍ〜０．２５ｍｍ程度の金属芯を意味する。この絶縁電線の例としては、例えば、マグネットワイヤが挙げられ、以後、ワイヤ４０としてマグネットワイヤを用いた例について説明する。
【００２５】
図１乃至図６に示す電気端子１は、金属板を打抜き及び曲げ加工することによって形成され、第１部材１０と、第２部材２０と、第１部材２０及び第２部材２０を連結する連結部材３０とを一体的に形成している。
ここで、第１部材１０は、１対の接合面部１１と、これら１対の接合面部１１を連結する連結部１２とを備えている。
【００２６】
１対の接合面部１１は、互いに対向し、互いに対向する内面１１ａ間の間隔が大きい側から小さい側に斬次小さくなる略Ｖ字形に形成される。各接合面部１１は、ワイヤ４０の軸心が延びる前後方向（図３において紙面に対して直交する方向）及び上下方向に延びる板状に形成されている。１対の接合面部１１において互いに対向する内面１１ａ間の間隔が大きい側の端部が上端部、互いに対向する内面１１ａ間の間隔が小さい側の端部は下端部となっている。１対の接合面部１１の互いに対向する内面１１ａ間の間隔は、図３に示すように、大きい側でｄ１、小さい側でｄ２となっている。当該間隔ｄ１の大きさはワイヤ４０の線径よりも大きく、間隔ｄ２の大きさはワイヤ４０の線径よりも小さく設定されている。そして、１対の接合面部１１は、互いに対向する内面１１ａが、互いに対向する内面１１ａ間の間隔が小さい側から大きい側に向けて外側に湾曲するように形成されている。
【００２７】
ここで、１対の接合面部１１は、互いに対向する内面１１ａ間の間隔が大きい側からワイヤ４０を受容して互いに対向する内面１１ａで前記ワイヤを保持する。そして、１対の接合面部１１の互いに対向する内面１１ａには、受容されるワイヤ４０の軸心が延びる方向、即ち前後方向に対して交差する方向に延びる複数の鋸歯状接点１１ｂ、１１ｃがそれぞれ形成されている。そして、１対の接合面部１１の互いに対向する内面１１ａにそれぞれ形成された複数の鋸歯状接点１１ｂ、１１ｃは、図７（Ａ）、（Ｂ）、（Ｃ）に示すように、互いに交差する方向に延びている。
【００２８】
また、連結部１２は、１対の接合面部１１を互いに対向する内面１１ａ間の間隔が小さい側の端部、即ち下端部で連結する。連結部１２は、図３に示すように、１対の接合面部１１のうちの一方の接合面部１１の下端部から外側に湾曲する第１湾曲部１２ａと、１対の接合面部１１のうちの他方の接合面部１１の下端部から外側に湾曲する第２湾曲部１２ｂと、第１湾曲部１２ａの先端と第２湾曲部１２ｂの先端とを接続する接続部１２ｃとからなっている。
【００２９】
また、第２部材２０は、前後方向に延びる略矩形状の平板部２１と、平板部２１の幅方向（図３における左右方向）の両端から下方に延びる１対の側板部２２とを備えた略Ｕ字形に形成されている。この第２部材２０は、図４及び図６に示すように、１対の接合面部１１の互いに対向する内面１１ａ間の間隔が大きい側から１対の接合面部１１に嵌合する。そして、第２部材２０は、その１対の側板部２２で１対の接合面部１１の両外側面１１ｅを内側に変位させて１対の接合面部１１の互いに対向する内面１１ａを接近させる。これにより、複数の鋸歯状接点１１ｂ，１１ｃがワイヤ４０に食い込み、ワイヤ４０が１対の接合面部１１に接続される。
【００３０】
なお、１対の接合面部１１の互いに対向する内面１１ａ間の間隔が大きい側の端部の外側及び第２部材２０の１対の側板部２２の端部内側には、それぞれ相手を誘い込むテーパ部１１ｄ、２２ａが設けられている。
また、連結部材３０は、略矩形状の平板を備え、この平板の下端に連結された第１連結片３１で第１部材１０の連結部１２の接続部１２ｃに連結し、平板の上端に連結された第２連結片３２で第２部材２０の平板部２１に連結する。
【００３１】
このように構成された電気端子１にワイヤ４０を接続する方法について図１乃至図７を参照して説明する。
先ず、図１、図３、及び図５に示すように、第２部材２０を第１部材１０に対して離しておき、その状態で、ワイヤ４０を１対の接合面部１１の互いに対向する内面１１ａ間の間隔が大きい側から挿入する。すると、ワイヤ４０は、１対の接合面部１１の互いに対向する内面１１ａ間で保持される。１対の接合面部１１の互いに対向する内面１１ａ間の間隔は、大きい側でｄ１、小さい側でｄ２となっている。そして、大きい側の間隔ｄ１の大きさはワイヤ４０の線径よりも大きいので、ワイヤ４０を、１対の接合面部１１の互いに対向する内面１１ａ間の間隔が大きい側から容易に挿入できる。また、小さい側の間隔ｄ２の大きさはワイヤ４０の線径よりも小さく設定されているので、ワイヤ４０を、１対の接合面部１１の互いに対向する内面１１ａ間で確実に保持できる。
【００３２】
次いで、図２、図４、及び図６に示すように、第２部材２０を１対の接合面部１１の互いに対向する内面１１ａ間の間隔が大きい側から１対の接合面部１１に嵌合する。すると、第２部材２０の１対の側板部２２の内側面が１対の接合面部１１の両外側面１１ｅを内側に変位させる。具体的に述べると、第２部材２０の１対の側板部２２の内側面が下方へ移動する過程で１対の接合面部１１の上端外側面を内側に押圧する。これにより、１対の接合面部１１の両外側面１１ｅが１対の接合面部１１の下端部（間隔が小さい側の端部）を中心に内側に回転するように変位する。この結果、１対の接合面部１１の互いに対向する内面１１ａが１対の接合面部１１の下端部を中心に内側に回転して接近する。これにより、１対の接合面部１１の互いに対向する内面１１ａに形成されている複数の鋸歯状接点１１ｂ，１１ｃがワイヤ４０に食い込み、ワイヤ４０が１対の接合面部１１に接続される。複数の鋸歯状接点１１ｂ，１１ｃがワイヤ４０に食い込むと、ワイヤ４０の外側に被覆された絶縁部が破れ、複数の鋸歯状接点１１ｂ，１１ｃがワイヤ４０の金属芯に電気的に接続されることになる。
【００３３】
このように、第２部材２０を第１部材１０の１対の接合面部１１に嵌合することにより、１対の接合面部１１の互いに対向する内面１１ａを接近させる。これにより、複数の鋸歯状接点１１ｂ，１１ｃをワイヤ４０に食い込ませて、ワイヤ４０を１対の接合面部１１に接続する。このため、コイル巻線の如き細いワイヤ４０を接続する場合であっても、１対の接合面部１１が余ることなく、安定したワイヤ４０の接続を行うことができる。特に、単一の細いワイヤ４０を接続する場合に、その効果が大きい。なお、同一径のワイヤ４０を接続する場合には、２本のワイヤ４０を接続しても良い。
【００３４】
また、第２部材２０は、１対の接合面部１１の両外側面１１ｅを内側に変位させて１対の接合面部１１の互いに対向する内面１１ａを接近させてワイヤ４０を１対の接合面部１１に接続する。このため、１対の接合面部１１の相対向する方向に複数の電気端子１を配列した際に、狭ピッチ化することができる。
更に、電気端子１を構成する第１部材１０及び第２部材２０のみでワイヤ４０を接続することができるので、電気端子１単体でワイヤ４０の接続を行うことができる。
【００３５】
ここで、１対の接合面部１１は、互いに対向する内面１１ａが、互いに対向する内面１１ａ間の間隔が小さい側から大きい側に向けて外側に湾曲するように形成されている。このため、１対の接合面部１１の互いに対向する内面１１ａが１対の接合面部１１の下端部（間隔が小さい側の端部）を中心に内側に回転して接近する際に、互いに対向する内面１１ａにおける間隔が大きい側の端部同士がワイヤ４０が接続される前に接触することはない。従って、互いに対向する内面１１ａにおける間隔が大きい側の端部の間隔を管理することにより、ワイヤ４０が接続しているか否かを判断することができる。
【００３６】
なお、第１部材１０の、１対の接合面部１１の互いに対向する内面１１ａ間の間隔が大きい側の端部外側及び第２部材２０の端部内側に、それぞれ相手を誘い込むテーパ部１１ｄ、２２ａが設けてある。このため、第２部材２０を１対の接合面部１１の互いに対向する内面１１ａ間の間隔が大きい側から１対の接合面部１１に嵌合する際に、容易に嵌合させることができる。
【００３７】
また、１対の接合面部１１の互いに対向する内面１１ａにそれぞれ形成された複数の鋸歯状接点１１ｂ、１１ｃは、図７（Ａ）、（Ｂ）、（Ｃ）に示すように、互いに交差する方向に延びている。このため、複数の鋸歯状接点１１ｂ，１１ｃがワイヤ４０の金属芯に電気的に接続されたときには、図８（Ａ）、（Ｂ）、（Ｃ）に示すように、一方の鋸歯状接点１１ｂによって形成されるワイヤ４０の凹み４１と、他方の鋸歯状接点１１ｃによって形成されるワイヤ４０の凹み４２が交差することになる。凹み４１、４２が交差していると、凹み４１、４２が相対向して同一方向に延びている場合に比べ、肉厚の薄い部分の領域が小さい。特許文献１に記載されているような一方の側壁１０４に形成された鋸歯状接点１０６と他方の側壁１０５に形成された鋸歯状接点１０６とが相対向して同一方向に延びている場合には、ワイヤにおいて肉厚の薄い部分の領域が大きい。このため、ワイヤがコイル巻線の如き細い場合には、断線のおそれがある。これに対して、本実施形態のように、凹み４１、４２が交差していると、肉厚の薄い部分の領域が小さいので、ワイヤ４０がコイル巻線の如き細い場合であっても、断線のおそれは小さい。
【００３８】
また、この電気端子１において、第１部材１０の連結部１２と第２部材２０とが連結部材３０により連結されている。このため、第１部材１０と第２部材２０とが分離していないので、第１部材１０及び第２部材２０の一方を紛失したりするおそれはなく、部品の管理を容易に行うことができる。また、電気端子１は、一体に形成されているので、第１部材１０及び第２端子２０を別個に製造する必要はなく、安価に製造することができる。
【００３９】
更に、連結部１２は、一方の接合面部１１の下端部から外側に湾曲する第１湾曲部１２ａと、他方の接合面部１１の下端部から外側に湾曲する第２湾曲部１２ｂと、第１湾曲部１２ａの先端と第２湾曲部１２ｂの先端とを接続する接続部１２ｃとからなっている。このため、連結部１２の接続部１２ｃから連結片（図示せず）を介して金属ストリップ（図示せず）に接続することができる。また、連結部１２は、第１湾曲部１２ａと、第２湾曲部１２ｂとを備えているので、１対の接合面部１１の互いに対向する内面１１ａが１対の接合面部１１の下端部を中心に内側に回転して接近する際の下端部の応力を緩和することができる。
【００４０】
次に、本発明に係る電気端子の第２実施形態について図９及び図１０を参照して説明する。図９及び図１０において、図１乃至図６に示す部材と同一の部材については同一の符号を付し、その説明を省略することがある。
図９及び図１０に示す電気端子１は、図１乃至図６に示す電気端子１と基本構造は同様である。図９及び図１０において、複数の鋸歯状接点は図示していない。しかし、図９及び図１０に示す電気端子１は、１対の接合面部１１及び第２部材２０に、第２部材２０が１対の接合面部１１に嵌合した際に互いにロックするロック部５０を設けてある点で図１乃至図６に示す電気端子１と相違している。
【００４１】
ここで、ロック部５０は、１対の接合面部１１の上端縁に突出形成された１対のロック突起５１と、第２部材２０の平板部２１に形成されたロック用開口５２とで構成されている。第２部材２０が１対の接合面部１１に嵌合した際に、１対のロック突起５１は、ロック用開口５２内に入り込む。各ロック突起５１の上端外側面には、テーパ部５１ａが形成されている。このため、１対のロック突起５１は、ロック用開口５２内に容易に入り込む。そして、１対のロック突起５１がロック用開口５２内に入り込むと、各ロック突起５１がロック用開口５２の幅方向縁部に当接する。これにより、１対の接合面部１１が開くのを防止することができる。このため、第２部材２０が１対の接合面部１１に嵌合した際に１対の接合面部１１が開くことが防止され、ワイヤ４０が不接続になるのを回避することができる。
【００４２】
また、図９及び図１０に示す電気端子１は、第１部材１０の連結部１２に、相手コネクタ（図示せず）に嵌合する嵌合部６０が設けられている点で図１乃至図６に示す電気端子１と相違している。
具体的に延びると、図９及び図１０に示す電気端子１において、連結部１２の接続部１２ｃに連結片６１を介してタブ状の嵌合部６０が設けられている。嵌合部６０は、連結片６１を介して下方に折り曲げられ、相手コネクに設けられた電気端子（図水せず）に嵌合するようになっている。
【００４３】
以上、本発明の実施形態について説明してきたが、本発明はこれに限定されずに種々の変更、改良を行うことができる。
例えば、１対の接合面部１１は、互いに対向する内面１１ａが、互いに対向する内面１１ａ間の間隔が小さい側から大きい側に向けて外側に湾曲するように形成されている必要は必ずしもない。
【００４４】
また、電気端子１において、第１部材１０の連結部１２と第２部材２０とが連結部材３０により連結されていなくてもよい。
また、電気端子１において、１対の接合面部１１の互いに対向する内面１１ａ間の間隔が大きい側の端部外側及び第２部材２０の端部内側に、それぞれ相手を誘い込むテーパ部１１ｄ、２２ａを必ずしも設けなくてよい。
【００４５】
また、電気端子１において、１対の接合面部１１の互いに対向する内面１１ａにそれぞれ形成された複数の鋸歯状接点１１ｂ、１１ｃは、必ずしも互いに交差する方向に延びていなくてもよい。
更に、連結部１２は、１対の接合面部１１を連結するものであればよく、第１湾曲部１２ａと、第２湾曲部１２ｂと、接続部１２ｃとからなっている必要は必ずしもない。
【符号の説明】
【００４６】
１  電気端子
１０  第１部材
１１ａ  内面
１１ｂ、１１ｃ  鋸歯状接点
１１ｄ  テーパ部
１１ｅ  外側面
１２  連結部
１２ａ  第１湾曲部
１２ｂ  第２湾曲部
１２ｃ  接続部
２０  第２部材
２２ａ  テーパ部
３０  連結部材
【図１】
2014029800.tif 000003
【図２】
2014029800.tif 000004
【図３】
2014029800.tif 000005
【図４】
2014029800.tif 000006
【図５】
2014029800.tif 000007
【図６】
2014029800.tif 000008
【図７】
2014029800.tif 000009
【図８】
2014029800.tif 000010
【図９】
2014029800.tif 000011
【図１０】
2014029800.tif 000012
【図１１】
2014029800.tif 000013
【図１２】
2014029800.tif 000014
【図１３】
2014029800.tif 000015
【図１４】
2014029800.tif 000016